(57)【要約】【課題】普通機と称されるパチンコ遊技機において、遊技者にとって有利な入賞順序となる少なくとも１つの入賞装置を示唆またはおよび報知する。また、該報知により遊技者にとって有利となる入賞順序の学習を可能にして、遊技者が遊技を行いながら興趣を持って遊技方法を習得できるパチンコ遊技機を提供する。【解決手段】  遊技球の入球しやすい拡開状態と、遊技球の入球しにくい閉鎖状態を備えた複数の入賞装置を有するパチンコ遊技機において、複数の進入穴からの遊技球の進入および入賞装置への入賞を検知して、入賞装置の拡開状態と閉鎖状態とを変換する変換機構と、入賞装置への入賞を検知して、入賞情報を出力する入賞検知手段と、複数の入賞装置のいずれか１つに入賞した場合においては、遊技者にとって有利な入賞となるように予め設定されている少なくとも１つの入賞装置を示唆する光表示態様によって報知する報知手段から成るように構成されているパチンコ遊技機。【選択図】図１２
2010125080.tif 000002
【特許請求の範囲】
【請求項１】
遊技球の入球しやすい拡開状態と、遊技球の入球しにくい閉鎖状態を備えた複数の入賞装置を有するパチンコ遊技機において、
複数の進入穴からの遊技球の進入および入賞装置への入賞を検知して、入賞装置の拡開状態と閉鎖状態とを変換する変換機構と、
入賞装置への入賞を検知して、入賞情報を出力する入賞検知手段と、
複数の入賞装置のいずれか１つに入賞した場合においては、遊技者にとって有利な入賞となるように予め設定されている少なくとも１つの入賞装置を示唆するような光表示態様によって報知する報知手段から成る
ことを特徴とするパチンコ遊技機。
【請求項２】
請求項１において、
前記入賞検知手段が、前記複数の入賞装置の中で役割が同一のものの入賞は、１つの検知手段によって検出する
ことを特徴とするパチンコ遊技機。
【請求項３】
請求項１または請求項２において
前記複数の入賞装置が、第２種非電動役物によって構成される
ことを特徴とするパチンコ遊技機。
【請求項４】
遊技球の入球しやすい拡開状態と、遊技球の入球しにくい閉鎖状態を備えた複数の入賞装置を有するパチンコ遊技機において、
複数の進入穴からの遊技球の進入および入賞装置への入賞を検知して、入賞装置の拡開状態と閉鎖状態とを変換する変換機構と、
少なくとも１つの入賞装置の開閉状態を検知する開閉状態検知手段と、
前記開閉状態検知手段により検知された少なくとも１つの入賞装置の開閉状態に基づいて、前記複数の入賞装置への入賞において遊技者にとって有利な入賞となる少なくとも１つの入賞装置を示唆するような光表示態様によって報知する報知手段から成る
ことを特徴とするパチンコ遊技機。
【請求項５】
請求項４において、
前記報知手段が、前記開閉状態検知手段により検知された少なくとも１つの入賞装置の開閉状態に基づいて構成される入賞判定テーブルに従って、前記複数の入賞装置への入賞において遊技者にとって有利な入賞となる少なくとも１つの入賞装置を示唆するような光表示態様によって報知する
ことを特徴とするパチンコ遊技機。
【請求項６】
請求項１ないし請求項５のいずれかにおいて、
前記報知手段が、少なくとも一つの光表示部を備え、該光表示部に遊技者にとって有利な入賞となる少なくとも１つの入賞装置を示唆するような光表示態様を表示する
ことを特徴とするパチンコ遊技機。
【請求項７】
請求項１ないし請求項６のいずれかにおいて、
前記報知手段が、前記複数の入賞装置に対応した複数の光表示部を備えている
ことを特徴とするパチンコ遊技機。
【請求項８】
請求項１ないし請求項７のいずれかにおいて、
前記複数の入賞装置への入賞において遊技者にとって有利な入賞となる少なくとも１つの入賞装置を示唆するような光表示態様の種類を設定する報知態様設定手段を備えた
ことを特徴とするパチンコ遊技機。
【請求項９】
請求項１ないし請求項８のいずれかにおいて、
前記複数の進入穴への遊技球の進入または前記入賞装置への入賞のタイミングに同期して前記報知態様設定手段が作動する
ことを特徴とするパチンコ遊技機。
【請求項１０】
請求項１ないし請求項９のいずれかにおいて
前記報知態様設定手段が遊技者が操作可能な操作ボタンによって構成されている
ことを特徴とするパチンコ遊技機。
【請求項１１】
請求項１ないし請求項１０のいずれかにおいて、
前記報知手段が、点灯図柄が異なる複数の光表示態様で報知可能である
ことを特徴とするパチンコ遊技機。
【請求項１２】
請求項１ないし請求項１１のいずれかにおいて
前記報知手段が、点灯する光表示部の数およびまたは位置が異なる複数の光表示態様で報知可能である
ことを特徴とするパチンコ遊技機。
【請求項１３】
請求項１ないし請求項１２のいずれかにおいて
前記報知手段が、点灯する光の色が異なる複数の光表示態様で報知可能である
ことを特徴とするパチンコ遊技機。
【請求項１４】
請求項１ないし請求項１３のいずれかにおいて
前記報知手段が、点灯または点滅する光の光量が異なる複数の光表示態様で報知可能である
ことを特徴とするパチンコ遊技機。
【請求項１５】
請求項１ないし請求項１４のいずれかにおいて
前記報知手段が、点滅する光の点滅周期が異なる複数の光表示態様で報知可能である
ことを特徴とするパチンコ遊技機。
【発明の詳細な説明】
【技術分野】
【０００１】
本発明は、パチンコ遊技機において、遊技球の入球しやすい拡開状態と、遊技球の入球しにくい閉鎖状態を備えた複数の入賞装置を有するパチンコ遊技機において、各入賞装置への入賞または複数の進入穴からの遊技球の進入により前記入賞装置の拡開状態および閉鎖状態が変換されるとともに、前記複数の入賞装置への入賞において遊技者にとって有利な入賞となる少なくとも１つの入賞装置を報知するパチンコ遊技機に関するものである。
【背景技術】
【０００２】
従来より、パチンコ遊技機の構成および機能の複雑化に伴い、パチンコ遊技機の遊技方法については分かりづらいものとなっており、遊技者とりわけ初心の遊技者が安心して遊技を行えるために、どのように遊技方法を説明するのかがホール運営上重要な問題となっている。
【０００３】
特許文献１に記載のパチンコ遊技機は、役物装置または入賞口に遊技球が入賞した後に飾りＬＥＤを点灯または点滅させるものであり、役物装置または入賞口に遊技球が入賞する前に、役物装置または入賞口への入賞において遊技者にとって有利な入賞となる少なくとも１つの役物装置または入賞口を報知するものではなかった。
【特許文献１】特開２０００−２３３０５１
【０００４】
上述したように一般に、普通機と称されるパチンコ遊技機については、第１入賞装置への入賞を契機として付与される入賞口への入賞に対して、遊技方法を熟知した遊技者と遊技方法を熟知していない遊技者とでは獲得賞球数に差異が生じる可能性が比較的高いものであるため、遊技者の熟練度による有利不利が顕著に現れるものであり、公平性が保たれた遊技環境を提供するために遊技方法の説明が重要課題とされている。
【発明の開示】
【発明が解決しようとする課題】
【０００５】
しかしながら、上記従来のパチンコ遊技機においては、図２１に示されるように、電源投入時、カウンタの値を０からスタートさせ、２．７１ｍｓ毎に入力される割込み信号毎に、該カウンタの値を１つずつ更新アップし、ＲＯＭに配備された一連のプログラム処理を終えて、次回の割り込み信号が入力されるまでの間においても、該カウンタの値を１つずつ更新アップを行なうとともに、記憶したカウンタの値に対応した飾りＬＥＤを点滅または点灯させるものであり、役物装置に遊技球が入賞する前に、該複数の役物装置への入賞において遊技者にとって有利な入賞となる少なくとも１つの役物装置を報知することができないという問題があった。  
【０００６】
このためホールは、パチンコ遊技機についての小冊子を設置したり、遊技方法を記載したＰＯＰを別途作成したり、遊技者に対してホール従業員による遊技方法の説明を行なったりと、パチンコ遊技機の遊技方法の説明のために多くの手間と費用が必要とされていた。
【０００７】
そこで本発明者らは、遊技球の入球しやすい拡開状態と、遊技球の入球しにくい閉鎖状態を備えた複数の入賞装置を有するパチンコ遊技機において、複数の進入穴からの遊技球の進入および入賞装置への入賞を検知して、入賞装置の拡開状態と閉鎖状態とを変換する変換機構と、入賞装置への入賞を検知して、入賞情報を出力する入賞検知手段と、複数の入賞装置のいずれか１つに入賞した場合においては、遊技者にとって有利な入賞となるように予め設定されている少なくとも１つの入賞装置を示唆するような光表示態様によって報知する報知手段から成るように構成するという本発明の技術的思想に着眼して、さらに研究開発を重ねた結果、遊技者が報知された光表示態様により前記複数の入賞装置への入賞において遊技者にとって有利な入賞となる少なくとも１つの入賞装置を知ることができるという目的を達成する本発明に到達した。
【課題を解決するための手段】
【０００８】
本発明（請求項１に記載の第１発明）のパチンコ遊技機は、
遊技球の入球しやすい拡開状態と、遊技球の入球しにくい閉鎖状態を備えた複数の入賞装置を有するパチンコ遊技機において、
複数の進入穴からの遊技球の進入および入賞装置への入賞を検知して、入賞装置の拡開状態と閉鎖状態とを変換する変換機構と、
入賞装置への入賞を検知して、入賞情報を出力する入賞検知手段と、
複数の入賞装置のいずれか１つに入賞した場合においては、遊技者にとって有利な入賞となるように予め設定されている少なくとも１つの入賞装置を示唆するような光表示態様によって報知する報知手段から成る
ものである。
【０００９】
本発明（請求項２に記載の第２発明）のパチンコ遊技機は、
前記第１発明において、
前記入賞検知手段が、前記複数の入賞装置の中で役割が同一のものの入賞は、１つの検知手段によって検出する
ものである。
【００１０】
本発明（請求項３に記載の第３発明）のパチンコ遊技機は、
前記第１発明または第２発明において
前記複数の入賞装置が、第２種非電動役物によって構成される
ものである。
【００１１】
本発明（請求項４に記載の第４発明）のパチンコ遊技機は、
遊技球の入球しやすい拡開状態と、遊技球の入球しにくい閉鎖状態を備えた複数の入賞装置を有するパチンコ遊技機において、
複数の進入穴からの遊技球の進入および入賞装置への入賞を検知して、入賞装置の拡開状態と閉鎖状態とを変換する変換機構と、
少なくとも１つの入賞装置の開閉状態を検知する開閉状態検知手段と、
前記開閉状態検知手段により検知された少なくとも１つの入賞装置の開閉状態に基づいて、前記複数の入賞装置への入賞において遊技者にとって有利な入賞となる少なくとも１つの入賞装置を示唆するような光表示態様によって報知する報知手段から成る
ものである。
【００１２】
本発明（請求項５に記載の第５発明）のパチンコ遊技機は、
前記第４発明において、
前記報知手段が、前記開閉状態検知手段により検知された少なくとも１つの入賞装置の開閉状態に基づいて構成される入賞判定テーブルに従って、前記複数の入賞装置への入賞において遊技者にとって有利な入賞となる少なくとも１つの入賞装置を示唆するような光表示態様によって報知する
ものである。
【００１３】
本発明（請求項６に記載の第６発明）のパチンコ遊技機は、
前記第１発明ないし第５発明のいずれかにおいて、
前記報知手段が、少なくとも一つの光表示部を備え、該光表示部に遊技者にとって有利な入賞となる少なくとも１つの入賞装置を示唆するような光表示態様を表示する
ものである。
【００１４】
本発明（請求項７に記載の第７発明）のパチンコ遊技機は、
前記第１発明ないし第６発明のいずれかにおいて、
前記報知手段が、前記複数の入賞装置に対応した複数の光表示部を備えている
ものである。
【００１５】
本発明（請求項８に記載の第８発明）のパチンコ遊技機は、
前記第１発明ないし第７発明のいずれかにおいて、
前記複数の入賞装置への入賞において遊技者にとって有利な入賞となる少なくとも１つの入賞装置を示唆するような光表示態様の種類を設定する報知態様設定手段を備えた
ものである。
【００１６】
本発明（請求項９に記載の第９発明）のパチンコ遊技機は、
前記第１発明ないし第８発明のいずれかにおいて、
前記複数の進入穴への遊技球の進入または前記入賞装置への入賞のタイミングに同期して前記報知態様設定手段が作動する
ものである。
【００１７】
本発明（請求項１０に記載の第１０発明）のパチンコ遊技機は、
前記第１発明ないし第９発明のいずれかにおいて
前記報知態様設定手段が遊技者が操作可能な操作ボタンによって構成されている
ものである。
【００１８】
本発明（請求項１１に記載の第１１発明）のパチンコ遊技機は、
前記第１発明ないし第１０発明のいずれかにおいて、
前記報知手段が、点灯図柄が異なる複数の光表示態様で報知可能である
ものである。
【００１９】
本発明（請求項１２に記載の第１２発明）のパチンコ遊技機は、
前記第１発明ないし第１１発明のいずれかにおいて
前記報知手段が、点灯する光表示部の数およびまたは位置が異なる複数の光表示態様で報知可能である
ものである。
【００２０】
本発明（請求項１３に記載の第１３発明）のパチンコ遊技機は、
前記第１発明ないし第１２発明のいずれかにおいて
前記報知手段が、点灯する光の色が異なる複数の光表示態様で報知可能である
ものである。
【００２１】
本発明（請求項１４に記載の第１４発明）のパチンコ遊技機は、
前記第１発明ないし第１３発明のいずれかにおいて
前記報知手段が、点灯または点滅する光の光量が異なる複数の光表示態様で報知可能である
ものである。
【００２２】
本発明（請求項１５に記載の第１５発明）のパチンコ遊技機は、
前記第１発明ないし第１４発明のいずれかにおいて
前記報知手段が、点滅する光の点滅周期が異なる複数の光表示態様で報知可能である
ものである。
【発明の効果】
【００２３】
本発明（請求項１に記載の第１発明）のパチンコ遊技機は、遊技球の入球しやすい拡開状態と、遊技球の入球しにくい閉鎖状態を備えた複数の入賞装置を有するパチンコ遊技機において、前記変換機構が複数の進入穴からの遊技球の進入および入賞装置への入賞を検知して、前記入賞装置の拡開状態と閉鎖状態とを変換するとともに、前記入賞検知手段が複数の入賞装置のいずれか１つへの入賞を検知した場合においては、前記報知手段が遊技者にとって有利な入賞となるように予め設定されている少なくとも１つの入賞装置を示唆するような光表示態様によって報知するので、遊技者が報知された光表示態様により前記複数の入賞装置への入賞において遊技者にとって有利な入賞となる少なくとも１つの入賞装置を知ることができるという効果を奏する。また、前記複数の入賞装置への入賞において遊技者にとって有利な入賞となる少なくとも１つの入賞装置を示唆するので、遊技者にとって有利となる入賞順序の学習を可能にすることができるので、遊技者が遊技を行いながら興趣を持って遊技方法を習得することができるという効果を奏する。
【００２４】
本発明（請求項２に記載の第２発明）のパチンコ遊技機は、前記第１発明において、前記入賞検知手段が、前記複数の入賞装置の中で役割が同一のものの入賞は、１つの検知手段によって検出するので、必要となる検知手段の数を削減することによりパチンコ遊技機の製造コストを低減できるという効果を奏する。
【００２５】
本発明（請求項３に記載の第３発明）のパチンコ遊技機は、前記第１発明または第２発明において第２種非電動役物の中で役割が同一のものの入賞に対して１つの検知手段によって検出するので、必要となる検知手段の数を削減することによりパチンコ遊技機の製造コストを低減できるという効果を奏する。
【００２６】
本発明（請求項４に記載の第４発明）のパチンコ遊技機は、遊技球の入球しやすい拡開状態と、遊技球の入球しにくい閉鎖状態を備えた複数の入賞装置を有するパチンコ遊技機において、前記変換機構が複数の進入穴からの遊技球の進入および入賞装置への入賞を検知して、前記入賞装置の拡開状態と閉鎖状態とを変換するとともに、前記開閉状態検知手段により少なくとも１つの入賞装置の開閉状態を検知して、前記開閉状態検知手段により検知された少なくとも１つの入賞装置の開閉状態に基づいて、前記報知手段により前記複数の入賞装置への入賞において遊技者にとって有利な入賞となる少なくとも１つの入賞装置を光表示態様によって報知するので、遊技者が報知された光表示態様によって前記複数の入賞装置への入賞において遊技者にとって有利な入賞となる少なくとも１つの入賞装置を知ることができるという効果を奏する。また、前記複数の入賞装置への入賞において遊技者にとって有利な入賞となる少なくとも１つの入賞装置を示唆するようなので、遊技者にとって有利となる入賞順序の学習を可能にすることができるので、遊技者が遊技を行いながら興趣を持って遊技方法を習得することができるという効果を奏する。
【００２７】
本発明（請求項５に記載の第５発明）のパチンコ遊技機は、前記第４発明において、前記報知手段が、前記開閉状態検知手段により検知された少なくとも１つの入賞装置の開閉状態に基づいて構成される入賞判定テーブルに従って、前記複数の入賞装置への入賞において遊技者にとって有利な入賞となる少なくとも１つの入賞装置を示唆するような光表示態様によって報知するので、遊技者が報知された光表示態様によって前記複数の入賞装置への入賞において遊技者にとって有利な入賞となる少なくとも１つの入賞装置を知ることができるという効果を奏する。また、前記複数の入賞装置への入賞において遊技者にとって有利な入賞となる少なくとも１つの入賞装置を示唆するので、遊技者にとって有利となる入賞順序の学習を可能にすることができるので、遊技者が遊技を行いながら興趣を持って遊技方法を習得することができるという効果を奏する。
【００２８】
本発明（請求項６に記載の第６発明）のパチンコ遊技機は、前記第１発明ないし第５発明のいずれかにおいて、前記報知手段が、少なくとも一つの前記光表示部において、該光表示部に遊技者にとって有利な入賞となる少なくとも１つの入賞装置を示唆するような光表示態様を表示するので、遊技者が前記光表示部に表示された光表示態様によって前記複数の入賞装置への入賞において遊技者にとって有利な入賞となる少なくとも１つの入賞装置を知ることができるという効果を奏する。また、前記複数の入賞装置への入賞において遊技者にとって有利な入賞となる少なくとも１つの入賞装置を示唆するので、遊技者にとって有利となる入賞順序の学習を可能にすることができるので、遊技者が遊技を行いながら興趣を持って遊技方法を習得することができるという効果を奏する。
【００２９】
本発明（請求項７に記載の第７発明）のパチンコ遊技機は、前記第１発明ないし第６発明のいずれかにおいて、前記報知手段が、前記複数の入賞装置に対応した前記複数の光表示部において、該複数の光表示部に遊技者にとって有利な入賞となる少なくとも１つの入賞装置を示唆するような光表示態様を表示するので、遊技者が前記複数の光表示部に表示された光表示態様によって前記複数の入賞装置への入賞において遊技者にとって有利な入賞となる少なくとも１つの入賞装置を知ることができるという効果を奏する。また、前記複数の入賞装置への入賞において遊技者にとって有利な入賞となる少なくとも１つの入賞装置を示唆するので、遊技者にとって有利となる入賞順序の学習を可能にすることができるので、遊技者が遊技を行いながら興趣を持って遊技方法を習得することができるという効果を奏する。
【００３０】
本発明（請求項８に記載の第８発明）のパチンコ遊技機は、前記第１発明ないし第７発明のいずれかにおいて、前記報知態様設定手段が、前記複数の入賞装置への入賞において遊技者にとって有利な入賞となる少なくとも１つの入賞装置を示唆するような光表示態様の種類を設定するので、前記報知態様設定手段の作動を契機として報知する光表示態様の種類を変更するため、遊技者に興趣のある遊技を提供することができるという効果を奏する。
【００３１】
本発明（請求項９に記載の第９発明）のパチンコ遊技機は、前記第１発明ないし第８発明のいずれかにおいて、前記複数の進入穴への遊技球の進入または前記入賞装置への入賞のタイミングに同期して前記報知態様設定手段が作動するので、前記報知手段において報知される光表示態様の種類を明確にすることができるという効果を奏する。
【００３２】
本発明（請求項１０に記載の第１０発明）のパチンコ遊技機は、前記第１発明ないし第９発明のいずれかにおいて、遊技者が操作ボタンを操作することにより、遊技者の所望する光表示態様を選択することが可能であるので、遊技者の参加感を高めた興趣のある遊技を提供できるという効果を奏する。
【００３３】
本発明（請求項１１に記載の第１１発明）のパチンコ遊技機は、前記第１発明ないし第１０発明のいずれかにおいて、点灯図柄が異なる複数の光表示態様によって遊技者にとって有利な入賞となる少なくとも１つの入賞装置を示唆するので、遊技者が報知された光表示態様により興趣をもって遊技者にとって有利となる前記入賞装置への入賞順序を知ることができるという効果を奏する。
【００３４】
本発明（請求項１２に記載の第１２発明）のパチンコ遊技機は、前記第１発明ないし第１１発明のいずれかにおいて、点灯する光表示部の数およびまたは位置が異なる複数の光表示態様によって遊技者にとって有利な入賞となる少なくとも１つの入賞装置を示唆するので、遊技者が報知された光表示態様により興趣をもって遊技者にとって有利となる前記入賞装置への入賞順序を知ることができるという効果を奏する。
【００３５】
本発明（請求項１３に記載の第１３発明）のパチンコ遊技機は、前記第１発明ないし第１２発明のいずれかにおいて、点灯する光の色が異なる複数の光表示態様によって遊技者にとって有利な入賞となる少なくとも１つの入賞装置を示唆するので、遊技者が報知された光表示態様により興趣をもって遊技者にとって有利となる前記入賞装置への入賞順序を知ることができるという効果を奏する。
【００３６】
本発明（請求項１４に記載の第１４発明）のパチンコ遊技機は、前記第１発明ないし第１３発明のいずれかにおいて、点灯または点滅する光の光量が異なる複数の光表示態様によって遊技者にとって有利な入賞となる少なくとも１つの入賞装置を示唆するので、遊技者が報知された光表示態様により興趣をもって遊技者にとって有利となる前記入賞装置への入賞順序を知ることができるという効果を奏する。
【００３７】
本発明（請求項１５に記載の第１５発明）のパチンコ遊技機は、前記第１発明ないし第１４発明のいずれかにおいて、点滅する光の点滅周期が異なる複数の光表示態様によって遊技者にとって有利な入賞となる少なくとも１つの入賞装置を示唆するので、遊技者が報知された光表示態様により興趣をもって遊技者にとって有利となる前記入賞装置への入賞順序を知ることができるという効果を奏する。
【発明を実施するための最良の形態】
【００３８】
以下本発明の最良の実施の形態につき実施例に基づき、図面を用いて説明する。
【実施例１】
【００３９】
本第１実施例のパチンコ遊技機は前記第１発明ないし第３発明、第６発明、第７発明および第１２発明の実施例であり、第２種非電動役物１２ないし１５の左誘導部材および右誘導部材に誘導されて入賞した遊技球を検知する入賞検知手段２の検知出力に基づき各入賞装置に配設されたＬＥＤ９８ａないし９８ｄの少なくともいずれか１つが選択的に点灯するように光の表示態様が設定されていて、ＬＥＤ９８ａないし９８ｄの少なくともいずれか１つを点灯させる光の表示態様が前記第２種非電動役物１２ないし１５への入賞において遊技者にとって有利となる少なくとも１つの前記第２種非電動役物１２ないし１５を示唆すべく報知するように構成した点を特徴とする。
【００４０】
また、第２種非電動役物１２ないし１４の前記左誘導部材および右誘導部材に誘導されて入賞した遊技球を遊技盤１００の後方に形成された遊技球導出路において同一経路を通過するように構成して、該同一経路に入賞検知スイッチ２９を配設することにより、パチンコ遊技機製造に必要となる前記入賞検知スイッチの数を減らした点に特徴がある。
【００４１】
第１実施例のパチンコ遊技機は、図１ないし図１２に示されるように、遊技球の入球しやすい拡開状態と、遊技球の入球しにくい閉鎖状態を備えた複数の入賞装置を有するパチンコ遊技機において、複数の進入穴からの遊技球の進入および入賞装置への入賞を検知して、入賞装置の拡開状態と閉鎖状態とを変換する変換機構１と、入賞装置への入賞を検知して、入賞情報を出力する入賞検知手段２と、入賞検知手段の検知出力に基づき遊技者にとって有利な入賞となる少なくとも１つの入賞装置を示唆するような光表示態様によって報知する報知手段９を備えるものである。
【００４２】
第１実施例のパチンコ遊技機は、図１ないし図１２に示されるように遊技盤１００に、遊技球が入球しやすい拡開状態と、遊技球が入球しにくい閉鎖状態を備えた第１種非電動役物１０および１１と、遊技球が入球しやすい拡開状態と、遊技球が入球しにくい閉鎖状態を備えた第２種非電動役物１２ないし１５が配設されている。
【００４３】
前記変換機構１は、遊技球の進入を検知して、前記第１種非電動役物および第２種非電動役物の誘導状態を変換する変換機構１０Ｔないし１５Ｔによって構成される。
【００４４】
前記入賞検知手段２は、各入賞装置への入賞を検知して入賞情報を出力する入賞検知スイッチ２０、２１、２５、２６、２７および２９によって構成される。
【００４５】
前記報知手段９は、前記入賞検知スイッチ２０、２１、２５、２６、２７および２９より出力された入賞情報に基づいて、前記入賞検知スイッチ毎に設定された光表示態様で報知するＬＥＤ９８ａないし９８ｄによって構成される。
【００４６】
第１実施例のパチンコ遊技機は、前記入賞検知スイッチ２０、２１、２５、２６、２７および２９より出力された入賞情報に基づいて同一または異なった光態様（すなわち光表示の発生態様）で報知する前記ＬＥＤ９８ａないし９８ｄと、遊技球の進入によって前記第２種非電動役物１２ないし１５の一部を拡開状態へと変換する左ゲート３０、中ゲート３１および右ゲート３２と、前記第２種非電動役物１３の上入賞口への入賞を支持する下ゲート３３と、遊技盤１００の後方に形成された遊技球導出路を備えている。
【００４７】
前記第１種非電動役物１０は、図４または図５に示されるように略扇形状に形成され対向して揺動可能に配設された左誘導部材４０および右誘導部材４１と、変換機構１０Ｔにより構成されている。
【００４８】
前記変換機構１０Ｔは、前記左誘導部材４０および右誘導部材４１の閉鎖状態においては前記左誘導部材４０および右誘導部材４１の下端部に当接支持することにより前記左誘導部材４０および右誘導部材４１を閉鎖状態に維持させるロック部材４２と、前記ロック部材４２と一体的に形成され上入賞口より入賞した遊技球を遊技盤１００の後方に形成された遊技球導出路に誘導する第１のガイド部材４３と、前記ロック部材４２および第１のガイド部材４３と対向して平行に形成され、前記左誘導部材４０および右誘導部材４１の拡開状態において、前記左誘導部材４０および右誘導部材４１に誘導されて入賞した遊技球を遊技盤１００の後方に形成された遊技球導出路に誘導する第２のガイド部材４５と、前記第１のガイド部材４３の略中心位置に介挿され前記ロック部材４２と、第１のガイド部材４３、および第２のガイド部材４５の揺動動作を支持する略円柱状の支持部材４４により構成されている。
【００４９】
なお、前記左誘導部材４０および右誘導部材４１は、図４（ａ）に示されるようにその閉鎖状態において、前記第１種非電動役物１０の上入賞口より入賞した遊技球は前記第１のガイド部材４３上に落下して、図４（ｂ）に示されるように前記第１のガイド部材４３が前記支持部材４４を支点として図４中時計方向に揺動動作するため、前記第１のガイド部材４３と一体的に形成された前記ロック部材４２と前記左誘導部材４０および右誘導部材４１との間に介挿された当接状態が解除されることにより、前記左誘導部材４０および右誘導部材４１が自重により拡開状態に変換される。
【００５０】
なお、図５（ａ）に示されるように前記左誘導部材４０および右誘導部材４１の拡開状態において、前記左誘導部材４０および右誘導部材４１に誘導されて入賞した遊技球は前記第２のガイド部材４５上に落下して、図５（ｂ）に示されるように前記第２のガイド部材４５が前記支持部材４４を支点として図５中時計方向に揺動動作するため、前記第１のガイド部材４３と一体的に形成された前記ロック部材４２が前記左誘導部材４０および右誘導部材４１との間に介挿されて当接状態となることにより、前記左誘導部材４０および右誘導部材４１が閉鎖状態に変換される。
【００５１】
なお、以下の説明では図４および図５に示されるように遊技球の進入により左誘導部材および右誘導部材を閉鎖状態から拡開状態へと変換する変換機構における範囲を拡開落下点ＯＰとして表すとともに、左誘導部材および右誘導部材を拡開状態から閉鎖状態へと変換する変換機構における範囲を閉鎖落下点ＣＬとして表す。
【００５２】
前記第１種非電動役物１１および変換機構１１Ｔは前記第１種非電動役物１０および変換機構１０Ｔと同様の構成であるため説明を省略する。
【００５３】
前記第２種非電動役物１２は、図６ないし図９に示されるように略扇形状に形成された左誘導部材５０および右誘導部材５１と、前記ＬＥＤ９８ａより出力された光表示態様を遊技盤１００の前方へ連絡するクリアプレート９９Ａと、変換機構１２Ｔにより構成されている。
【００５４】
前記変換機構１２Ｔは、前記左誘導部材５０および右誘導部材５１の閉鎖状態においては前記左誘導部材５０および右誘導部材５１の下端部に当接支持することにより前記左誘導部材５０および右誘導部材５１を閉鎖状態に維持させるロック部材５２と、前記ロック部材５２と一体的に形成され上入賞口より入賞して拡開落下点ＯＰに落下した遊技球を遊技盤１００の後方に形成された遊技球導出路に誘導する第１のガイド部材５３と、前記ロック部材５２および第１のガイド部材５３と対向して平行に形成され、前記左誘導部材５０および右誘導部材５１の拡開状態において、前記左誘導部材５０および右誘導部材５１に誘導されて入賞した遊技球を遊技盤１００の後方に形成された遊技球導出路に誘導する第２のガイド部材５５と、前記第１のガイド部材５３の略中心位置に介挿され前記ロック部材５２、第１のガイド部材５３、および第２のガイド部材５５の揺動動作を支持する略円柱状の支持部材５４と、前記第１のガイド部材５３の図中後方右端に穿設され後述する第２の左アーム５８の揺動動作を連絡する円柱状の連絡棒５６と、前記左ゲート３０および中ゲート３１を通過した遊技球の自重により押圧されて揺動し、一方の先端に前記第２の左アーム５８の歯部と噛み合う歯部を有する略くの字状の第１の左アーム５７と、一方の先端に前記第１の左アーム５７の歯部と噛み合う歯部を有するとともに他方の先端において図９に示されるように前記連絡棒５６と当接する突出部５９を備え、前記第１の左アーム５７が図中時計方向に揺動する場合には互いに噛み合う歯部において連絡して図中反時計方向に揺動する略Ｙの字状の第２の左アーム５８により構成されている。
【００５５】
なお、前記第２の左アーム５８が、図８（Ｂ）に示されるように遊技球の落下による前記第１の左アーム５７の時計方向の揺動に応じて中反時計方向に揺動することにより前記連絡棒５６が前記突出部５９によって図８（Ｂ）中下方に揺動されるので、図７に示されるように前記第１のガイド部材５３が前記支持部材５４を支点として図７中反時計方向に揺動するため、前記左誘導部材５０および右誘導部材５１の下部に介挿されている前記ロック部材５２のロック機構としての状態が解除され、前記左誘導部材５０および右誘導部材５１が拡開状態となる。
【００５６】
なお、上述したように図８（Ｂ）に示される前記左誘導部材５０および右誘導部材５１の拡開状態において、前記左誘導部材５０および右誘導部材５１に誘導されて入賞した遊技球は前記第２のガイド部材５５の閉鎖落下点ＣＬに落下して、前記第２のガイド部材５５が前記支持部材５４を支点として揺動動作するため前記第１のガイド部材５３と一体的に形成された前記ロック部材５２が前記左誘導部材５０および右誘導部材５１の下部に介挿され当接状態となることにより、前記左誘導部材５０および右誘導部材５１が閉鎖状態に変換される。
【００５７】
第２種非電動役物１４および変換機構１４Ｔは前記第２種非電動役物１２および変換機構１２Ｔと左右対称に構成されており、基本構成が同様であるため説明および図示を省略する。すなわち、第２種非電動役物１４は上入賞口より入賞した場合に加え、前記中ゲート３１および右ゲート３２を遊技球が通過した場合に、該入賞した遊技球または通過した遊技球が前記第２種非電動役物１４における拡開落下点ＯＰに落下することにより拡開状態となるように構成されている。なお、前記第２種非電動役物１４は、前記ＬＥＤ９８ｃより出力された光表示態様すなわちＬＥＤの点灯状態を遊技盤１００の前方へ報知することを可能にするためのクリアプレート９９Ｃを備えている。
【００５８】
なお、上記した前記変換機構１２Ｔにおいて図８（Ｂ）を用いた説明と同様に、前記第２種非電動役物１４は、左誘導部材および右誘導部材の拡開状態において、左誘導部材および右誘導部材に誘導されて入賞した遊技球は前記第２のガイド部材の閉鎖落下点ＣＬに落下して、第２のガイド部材が支持部材を支点として揺動動作するため記第１のガイド部材と一体的に形成されたロック部材が左誘導部材および右誘導部材の下部に介挿され当接状態となることにより、左誘導部材および右誘導部材が閉鎖状態に変換される。
【００５９】
第２種非電動役物１３は前記第１種非電動役物１０と基本構成が同様であるため、相違点を中心に説明する。
前記第２種非電動役物１３の変換機構１３Ｔの動作原理は、図１０に示されるように前記下ゲート３３に支持されるか、または直接上入賞口へ入賞した遊技球が拡開落下点ＯＰに落下することにより拡開状態に変換されるとともに、前記左ゲート３０、中ゲート３１および右ゲート３２に進入した遊技球が拡開落下点ＯＰに落下することにより拡開状態に変換されるものである。
【００６０】
なお、上述したように左誘導部材および右誘導部材の拡開状態において、左誘導部材および右誘導部材に誘導されて入賞した遊技球は第２のガイド部材の閉鎖落下点ＣＬに落下して、第２のガイド部材が支持部材を支点として揺動動作するため記第１のガイド部材と一体的に形成されたロック部材が左誘導部材および右誘導部材と当接状態となることにより、左誘導部材および右誘導部材が閉鎖状態に変換される。また、前記第２種非電動役物１３は、前記ＬＥＤ９８ｂより出力された光表示態様すなわちＬＥＤの点灯状態を遊技盤１００の前方へ報知することを可能にするためのクリアプレート９９Ｂを備えている。
【００６１】
第２種非電動役物１５は前記第１種非電動役物１０と基本構成が同様であるため、相違点を中心に説明する。
前記第２種非電動役物１５の変換機構１５Ｔの動作原理は、前記第２種非電動役物１２、１３および１４の左誘導部材および右誘導部材に誘導されて入賞した遊技球が、図３に示されるように前記遊技盤１００の後方に形成された遊技球導出路を通って、前記第２種非電動役物１５の拡開落下点ＯＰに落下することにより拡開状態に変換されるものである。
【００６２】
なお、上述したように左誘導部材および右誘導部材の拡開状態において、左誘導部材および右誘導部材に誘導されて入賞した遊技球は第２のガイド部材の閉鎖落下点ＣＬに落下して、第２のガイド部材が支持部材を支点として揺動動作するため記第１のガイド部材と一体的に形成されたロック部材が左誘導部材および右誘導部材と当接状態となることにより、左誘導部材および右誘導部材が閉鎖状態に変換される。また、前記第２種非電動役物１５は、前記ＬＥＤ９８ｄより出力された光表示態様すなわちＬＥＤの点灯状態を遊技盤１００の前方へ報知することを可能にするためのクリアプレート９９Ｄを備えている。
【００６３】
本第１実施例のパチンコ遊技機の制御システムの概要は図１１に示されるように、メイン制御基板８０に信号を出力する入賞検知手段２を構成する入賞検知スイッチ２０、２１、２５、２６、２７および２９と、メインＣＰＵ８１、メインＲＯＭ８２およびメインＲＡＭ８３を格納した前記メイン制御基板８０と、前記メイン制御基板８０からの信号を入力して前記ＬＥＤ９８ａないし９８ｄに対して出力指令を出力するランプ制御基板８４と、前記メイン制御基板８０からの信号を入力して賞球払出指令を出力する払出制御基板８５によって構成される。
【００６４】
以下において、本第１実施例における前記ＬＥＤ９８ａないし９８ｄによって報知される光表示態様（光表示の発生態様）の決定制御を説明する。
【００６５】
本第１実施例のパチンコ遊技機における前記第１種非電動役物１０および１１に遊技球が入賞すると図１２に示されるように前記入賞検知スイッチ２０および２１に対応して設定された光表示態様（サ）が前記ＬＥＤ９８ａないし９８ｄによって報知される。同様に、入賞口１６および１７に遊技球が入賞すると前記入賞検知スイッチ２６および２７に対応して設定された光表示態様（サ）が前記ＬＥＤ９８ａないし９８ｄによって報知される。
【００６６】
なお、本第１実施例のパチンコ遊技機では一例として、光表示態様（サ）についてはＬＥＤ９８ａないし９８ｄを１．０秒間点滅させた後、該光表示態様（サ）の報知前に点灯状態にあったＬＥＤ９８ａないし９８ｄは、次に前記第２種非電動役物１２ないし１５の前記左誘導部材および右誘導部材に誘導されて遊技球が入賞するまで点灯させるものとし、該光表示態様（サ）の報知前に消灯状態にあったＬＥＤ９８ａないし９８ｄは、次に前記第２種非電動役物１２ないし１５の前記左誘導部材および右誘導部材に誘導されて遊技球が入賞するまで消灯させるものとする。
【００６７】
一方、前記第２種非電動役物１２ないし１４の前記左誘導部材および右誘導部材に誘導されて遊技球が入賞すると図１２に示されるように前記入賞検知スイッチ２９に対応して設定された光表示態様（ア）が前記ＬＥＤ９８ｄによって報知される。また、第２種非電動役物１５の前記左誘導部材および右誘導部材に誘導されて遊技球が入賞すると前記入賞検知スイッチ２５に対応して設定された光表示態様（イ）が前記ＬＥＤ９８ａないし９８ｃによって報知される。
【００６８】
なお、本第１実施例のパチンコ遊技機では一例として、光表示態様（ア）についてはＬＥＤ９８ｄを、次に前記第２種非電動役物１５の前記左誘導部材および右誘導部材に誘導されて遊技球が入賞するまで点灯させるもの、光表示態様（イ）についてはＬＥＤ９８ａないし９８ｃを、次に前記第２種非電動役物１２ないし１４の前記左誘導部材および右誘導部材に誘導されて遊技球が入賞するまで点灯させるものとする。
【００６９】
すなわち、本第１実施例のパチンコ遊技機は上述したように遊技者にとって有利となる順序で前記第２種非電動役物１２ないし１５の前記左誘導部材および右誘導部材に誘導されて遊技球が入賞すると、例えば前記第２種非電動役物１２ないし１４の前記左誘導部材および右誘導部材に誘導されて遊技球が入賞し、光表示態様（ア）によって前記第２種非電動役物１５を示唆し、前記第２種非電動役物１５の前記左誘導部材および右誘導部材に誘導されて遊技球が入賞し、光表示態様（イ）によって前記第２種非電動役物１２ないし１４を示唆し、前記第２種非電動役物１２ないし１４の前記左誘導部材および右誘導部材に誘導されて遊技球が入賞する等のように光表示態様（ア）と光表示態様（イ）が遊技者にとって有利な入賞順序となる少なくとも１つの前記第２種非電動役物１２ないし１５を常に示唆すべく報知する構成となっている。
【００７０】
以下、上記構成および作用の本第１実施例のパチンコ遊技機の効果について説明する。
【００７１】
本第１実施例のパチンコ遊技機は、前記入賞検知スイッチ２０、２１、２５、２６、２７および２９が複数の入賞装置のいずれか１つへの入賞を検知した場合においては、前記報知手段が遊技者にとって有利な入賞となるように予め設定されている少なくとも１つの前記第２種非電動役物１２ないし１５を示唆する前記ＬＥＤ９８ａないし９８ｄの少なくとも１つによって報知するので、遊技者が報知された光表示態様により前記複数の入賞装置への入賞において遊技者にとって有利な入賞となる少なくとも１つの入賞装置を知ることができるという効果を奏する。
【００７２】
また、本第１実施例のパチンコ遊技機は、報知された該光表示態様によって遊技者にとって有利となる少なくとも１つの前記第２種非電動役物１２ないし１５を示唆するため、遊技者に対して遊技者にとって有利となる入賞順序の学習を可能にすることができるので、遊技者が遊技を行いながら興趣を持って遊技方法を習得することができるという効果を奏する。
【００７３】
本第１実施例のパチンコ遊技機は、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチ２９を配設したので、前記複数の入賞装置の中で役割が同一のものの入賞を１つの検知手段によって検出したので、必要となる検知手段の数を削減することによりパチンコ遊技機の製造コストを低減することができるという効果を奏する。
【００７４】
本第１実施例のパチンコ遊技機は、ＬＥＤ９８ａないし９８ｄにおいて点灯する光表示部の数およびまたは位置が異なる複数の光表示態様によって遊技者にとって有利な入賞順序となる少なくとも１つの前記第２種非電動役物１２ないし１５を入賞の前に予め示唆するように報知するので、遊技者が報知された光表示態様により興趣をもって遊技者にとって有利となる前記第２種非電動役物１２ないし１５への入賞順序を知ることができるという効果を奏する。
【実施例２】
【００７５】
本第２実施例のパチンコ遊技機は、前記第４発明ないし第７発明および第１３発明の実施例であり、前記第２種非電動役物１２ないし１５の開閉状態を検知する開閉状態検知手段９２を備え、前記開閉状態検知手段９２による前記第２種非電動役物１２ないし１５の開閉状態の検知出力に基づいて遊技者にとって有利な入賞となる少なくとも１つの前記第２種非電動役物１２ないし１５を判定する判定手段９４における判定結果に基づいてＬＥＤ９８ａないし９８ｄの点灯する光の色が異なった光表示態様によって報知するように構成した点が、上述の第１実施例との主な相違点であり、以下相違点を中心に説明する。なお、前記ＬＥＤ９８ａないし９８ｄは赤色ＬＥＤと青色ＬＥＤの両方を備え、遊技状況に応じて適宜選択して点灯する構成となっている。
【００７６】
第２実施例のパチンコ遊技機は、図１３ないし図１５に示されるように前記第２種非電動役物１２ないし１５の開閉状態を検知する開閉状態検知手段９２と、前記開閉状態検知手段９２における検知出力に基づいて構成される入賞判定テーブル９３に従って、前記第２種非電動役物１２ないし１５への入賞が遊技者にとって有利となる少なくとも１つの前記第２種非電動役物１２ないし１５を判定する判定手段９４と、前記判定手段９４における判定結果に基づいて前記第２種非電動役物１２ないし１５に対応したＬＥＤ９８ａないし９８ｄの点灯する色が異なった光表示態様を出力する報知手段９と、前記第２種非電動役物１２ないし１５への入賞を検知して入賞情報を出力する入賞検知スイッチ２２ないし２５と、遊技球の進入によって前記第２種非電動役物１２ないし１５の一部を拡開状態へと変換する左ゲート３０、中ゲート３１および右ゲート３２を備えている。
【００７７】
前記開閉状態検知手段９２は、前記第２種非電動役物１２の開閉状態を検知する開閉状態検知装置１１２、前記第２種非電動役物１３の開閉状態を検知する開閉状態検知装置１１３、前記第２種非電動役物１４の開閉状態を検知する開閉状態検知装置１１４および前記第２種非電動役物１５の開閉状態を検知する開閉状態検知装置１１５により構成される。
【００７８】
前記開閉状態検知装置１１２は、図１４（ａ）に示されるように、前記遊技盤１００の裏面に前記第２種非電動役物１２に対して一定距離下方に離して配設され、一端が固着されたバネ部材より成る薄板矩形状の揺動部材１２０と、前記揺動部材１２０の他端に回転自在に配設されたローラ状部材１２１とから成り、前記第２種非電動役物１２が閉鎖状態の時には、前記ローラ状部材１２１が前記第２のガイド部材５５の下端に当接して図中下方に押圧されるので、前記ローラ状部材１２１を一端に支持する前記揺動部材１２０が他端を中心として図中時計方向に揺動するので、前記揺動部材１２０と非接触の接点部材１２２が揺動してきた前記揺動部材１２０に接触して図中下方へ押圧され、前記第２種非電動役物１２が閉鎖状態であることを検知するように構成されている。
【００７９】
なお、図１４（ｂ）に示されるように、前記第２種非電動役物１２が拡開状態の時には、前記ローラ状部材１２１が図中反時計方向に揺動した前記第２のガイド部材５５と非接触状態となるので、前記ローラ状部材１２１を一端に支持する前記揺動部材１２０が他端を中心として図中反時計方向に揺動するので、前記揺動部材１２０と接点部材１２２は非接触状態を維持して、前記第２種非電動役物１２が拡開状態であることを検知するように構成されている。
【００８０】
また、前記開閉状態検知装置１１３ないし１１５については前記開閉状態検知装置１１２と同様の構成であるため説明を省略する。
【００８１】
前記入賞判定テーブル９３は、図１５に示されるように、前記第２種非電動役物１２ないし１５の開閉状態の情報と、該前記第２種非電動役物１２ないし１５の各開閉状態の情報と対応させたＬＥＤ９８ａないし９８ｄによる報知状態の情報により構成され、予め前記ＲＯＭ８２に格納されている。
【００８２】
以下において、本第２実施例における前記ＬＥＤ９８ａないし９８ｄによって報知される光表示態様の決定制御を説明する。
【００８３】
遊技が開始された後、前記左ゲート３０に遊技球が進入した場合には、前記第２種非電動役物１２および前記第２種非電動役物１３が拡開状態にあり、前記第２種非電動役物１４および前記第２種非電動役物１５は閉鎖状態にある。なお、以下においてはこの状態を「状態１」として説明する。
【００８４】
ここで前記開閉状態検知手段９２において検知された前記第２種非電動役物１２ないし１５の開閉状態のデータに基づき、図１５に示される前記入賞判定テーブル９３の上から４行目を参照して、遊技者にとって有利な入賞順序となる前記第２種非電動役物１２および１３に対応する前記ＬＥＤ９８ａおよび９８ｂにおいて青色ＬＥＤが点灯して報知されるとともに、閉鎖状態である前記第２種非電動役物１４および１５に対応する前記ＬＥＤ９８ｃおよび９８ｄにおいては前記青色ＬＥＤおよび赤色ＬＥＤが消灯状態として報知される。
【００８５】
上記した「状態１」において、前記第２種非電動役物１２の前記左誘導部材および右誘導部材に誘導されて遊技球が入賞した場合には、前記第２種非電動役物１３および前記第２種非電動役物１５が拡開状態にあり、前記第２種非電動役物１２および前記第２種非電動役物１４は閉鎖状態にある。なお、以下においてはこの状態を「状態２」として説明する。
【００８６】
ここで上記した「状態２」において、前記開閉状態検知手段９２において検知された前記第２種非電動役物１２ないし１５の開閉状態のデータに基づき、図１５に示される前記入賞判定テーブル９３の上から１１行目を参照して、遊技者にとって有利な入賞順序となる前記第２種非電動役物１５に対応する前記ＬＥＤ９８ｄにおいて青色ＬＥＤが点灯して報知されるとともに、遊技者にとって有利な入賞順序とならない前記第２種非電動役物１３に対応する前記ＬＥＤ９８ｂにおいて赤色ＬＥＤが点灯して報知されるとともに、閉鎖状態である前記第２種非電動役物１２および１４に対応する前記ＬＥＤ９８ａおよび９８ｃにおいては前記青色ＬＥＤおよび赤色ＬＥＤが消灯状態として報知される。
【００８７】
本第２実施例のパチンコ遊技機においては、上述したように前記第２種非電動役物１２ないし１５の前記左誘導部材および右誘導部材に誘導されて遊技球が入賞して前記入賞検知スイッチ２２ないし２５において該入賞が検知される毎に、上記した前記入賞判定テーブル９３を参照して前記ＬＥＤ９８ａないし９８ｄによって報知する光表示態様を選択する。
【００８８】
なお、本第２実施例のパチンコ遊技機においては、前記青色ＬＥＤが点灯する光表示態様を遊技者にとって有利な入賞順序となる少なくとも１つの前記第２種非電動役物１２ないし１５を示唆し、前記赤色ＬＥＤが点灯する光表示態様を遊技者にとって有利とならない入賞順序となる少なくとも１つの前記第２種非電動役物１２ないし１５を示唆し、前記青色ＬＥＤおよび赤色ＬＥＤが消灯状態となる光表示態様を遊技者にとって入賞が困難となる少なくとも１つの前記第２種非電動役物１２ないし１５を示唆している。
【００８９】
以下、上記構成および作用の本第２実施例のパチンコ遊技機の効果について説明する。
【００９０】
上記作用を奏する第２実施例のパチンコ遊技機は、遊技球の入球しやすい拡開状態と、遊技球の入球しにくい閉鎖状態を備えた複数の入賞装置を有するパチンコ遊技機において、前記変換機構１が複数の進入穴からの遊技球の進入および入賞装置への入賞を検知して、前記入賞装置の拡開状態と閉鎖状態とを変換するとともに、前記開閉状態検知手段９２により前記第２種非電動役物１２ないし１５の開閉状態を検知して、前記開閉状態検知手段９２により検知された開閉状態に基づいて、前記ＬＥＤ９８ａないし９８ｄにより前記第２種非電動役物１２ないし１５への入賞において遊技者にとって有利な入賞となる少なくとも１つの前記第２種非電動役物１２ないし１５を光表示態様によって報知するので、遊技者が報知された光表示態様によって前記第２種非電動役物１２ないし１５への入賞において遊技者にとって有利な入賞となる少なくとも１つの前記第２種非電動役物１２ないし１５を知ることができるという効果を奏する。
【００９１】
上記作用を奏する第２実施例のパチンコ遊技機は、前記ＬＥＤ９８ａないし９８ｄが、前記開閉状態検知手段９２により検知された前記第２種非電動役物１２ないし１５の開閉状態に基づいて構成される入賞判定テーブル９３に従って、前記第２種非電動役物１２ないし１５への入賞において遊技者にとって有利な入賞となる少なくとも１つの前記第２種非電動役物１２ないし１５を示唆する光表示態様によって報知するので、遊技者が報知された光表示態様によって前記第２種非電動役物１２ないし１５への入賞において遊技者にとって有利な入賞となる少なくとも１つの前記第２種非電動役物１２ないし１５を知ることができるという効果を奏する。
【００９２】
また、上記作用を奏する第２実施例のパチンコ遊技機は、前記第２種非電動役物１２ないし１５への入賞において遊技者にとって有利な入賞となる少なくとも１つの前記第２種非電動役物１２ないし１５を示唆するので、遊技者にとって有利となる入賞順序の学習を可能にすることができるので、遊技者が遊技を行いながら興趣を持って遊技方法を習得することができるという効果を奏する。
【００９３】
上記作用を奏する第２実施例のパチンコ遊技機は、前記ＬＥＤ９８ａないし９８ｄが、前記第２種非電動役物１２ないし１５に対応した前記クリアプレート９９Ａないし９９Ｄを光表示部として遊技者にとって有利な入賞となる少なくとも１つの前記第２種非電動役物１２ないし１５を示唆する光表示態様を表示するので、遊技者が前記クリアプレート９９Ａないし９９Ｄに表示された光表示態様によって前記第２種非電動役物１２ないし１５への入賞において遊技者にとって有利な入賞となる少なくとも１つの前記第２種非電動役物１２ないし１５を知ることができるという効果を奏する。
【００９４】
本第２実施例のパチンコ遊技機は、ＬＥＤ９８ａないし９８ｄにおいて点灯する光の色が異なる複数の光表示態様によって遊技者にとって有利な入賞となる少なくとも１つの前記第２種非電動役物１２ないし１５を報知するので、遊技者が報知された光表示態様により興趣をもって遊技者にとって有利となる前記第２種非電動役物１２ないし１５への入賞順序を知ることができるという効果を奏する。
【実施例３】
【００９５】
本第３実施例のパチンコ遊技機は、前記第４発明ないし第９発明、第１１発明および第１４発明の実施例であり、前記第２種非電動役物１２ないし１５の開閉状態を検知する開閉状態検知手段９２を備え、前記開閉状態検知手段９２による前記第２種非電動役物１２ないし１５の開閉状態の検知出力に基づいて遊技者にとって有利な入賞順序となる少なくとも１つの前記第２種非電動役物１２ないし１５を判定する判定手段９４における判定結果に基づいて、ＬＥＤ９８ａないし９８ｄの点滅する光の光量が異なった光表示態様、またはドット表示部１０１に異なった点灯図柄を表示する光表示態様によって報知するように構成した点が、上述の第１実施例および第２実施例との主な相違点であり、以下相違点を中心に説明する。なお、前記ＬＥＤ９８ａないし９８ｄは光量の大きい点滅状態、光量の小さい点滅状態および消灯状態を報知可能な構成を備えている。
【００９６】
また、本第３実施例のパチンコ遊技機は、左ゲート３０および右ゲート３２に遊技球が進入したことをゲート進入検知スイッチ２８ａおよび２８ｃによって検知した時には、前記ＬＥＤ９８ａないし９８ｄを用いた報知態様の種類を選択して、中ゲート３１に遊技球が進入したことをゲート進入検知スイッチ２８ｂによって検知した時には、前記ドット表示部１０１を用いた報知態様の種類を選択することを特徴とする。
【００９７】
第３実施例のパチンコ遊技機は、図１４および図１６ないし図２０に示されるように前記第２種非電動役物１２ないし１５の開閉状態を検知する開閉状態検知手段９２と、前記開閉状態検知手段９２における検知出力に基づいて構成される入賞判定テーブル９３３に従って、前記第２種非電動役物１２ないし１５への入賞において遊技者にとって有利となる前記第２種非電動役物１２ないし１５を判定する判定手段９４と、前記判定手段９４における判定結果に基づいて前記第２種非電動役物１２ないし１５に対応したＬＥＤ９８ａないし９８ｄの点滅する光の光量が異なった光表示態様、またはドット表示部１０１に異なった点灯図柄を表示する光表示態様を出力する報知手段９と、遊技球の進入によって前記第２種非電動役物１２ないし１５の一部を拡開状態へと変換する左ゲート３０、中ゲート３１および右ゲート３２と、該左ゲート３０への遊技球の進入を検知するゲート進入スイッチ２８ａ、該中ゲート３１への遊技球の進入を検知するゲート進入スイッチ２８ｂおよび該右ゲート３２への遊技球の進入を検知するゲート進入スイッチ２８ｃと、前記遊技盤１００の後方に配設されたＬＥＤ９８ａより出力された光表示態様を遊技盤１００の前方へ連絡するじゃんけんゲームにおいて「グー」として知られる図柄が描かれたクリアプレート９９３Ａと、前記遊技盤１００の後方に配設されたＬＥＤ９８ｂより出力された光表示態様を遊技盤１００の前方へ連絡するじゃんけんゲームにおいて「チョキ」として知られる図柄が描かれたクリアプレート９９３Ｂと、前記遊技盤１００の後方に配設されたＬＥＤ９８ｃより出力された光表示態様を遊技盤１００の前方へ連絡するじゃんけんゲームにおいて「パー」として知られる図柄が描かれたクリアプレート９９３Ｃと、前記遊技盤１００の後方に配設されたＬＥＤ９８ｄより出力された光表示態様を遊技盤１００の前方へ連絡するＶの字状の図柄が絵柄が描かれたクリアプレート９９３Ｄとを備えている。（なお、クリアプレート９９３Ａないし９９３Ｄは図示しない。）
【００９８】
前記開閉状態検知手段９２は、上述した第２実施例と同様の作用および構成であるため説明を省略する。
【００９９】
前記入賞判定テーブル９３３は、図１８に示されるように前記左ゲート３０および右ゲート３２に遊技球が進入したことが検知された時に選択されて、前記第２種非電動役物１２ないし１５の開閉状態の情報と、該前記第２種非電動役物１２ないし１５の各開閉状態の情報と対応させたＬＥＤ９８ａないし９８ｄによる報知状態の情報により構成されたテーブルＡと、図１９に示されるように前記中ゲート３１に遊技球が進入したことが検知された時に選択されて、前記第２種非電動役物１２ないし１５の開閉状態の情報と、該前記第２種非電動役物１２ないし１５の各開閉状態の情報と対応させたドット表示部１０１による報知状態の情報により構成されたテーブルＢとから成り、予め前記ＲＯＭ８２に格納されている。
【０１００】
以下において、本第３実施例における前記ＬＥＤ９８ａないし９８ｄまたはドット表示部１０１によって報知される光表示態様の決定制御を説明する。
【０１０１】
最初に、前記左ゲート３０に遊技球が進入したことをゲート進入検知スイッチ２８ａによって検知した時には、前記開閉状態検知手段９２において検知された前記第２種非電動役物１２ないし１５の開閉状態のデータに基づき、図１８に示される前記入賞判定テーブル９３３のテーブルＡの上から４行目を参照して、遊技者にとって有利な入賞順序となる前記第２種非電動役物１２および１３に対応する前記ＬＥＤ９８ａおよび９８ｂにおいて光量の大きい点滅状態として報知されるとともに、閉鎖状態である前記第２種非電動役物１４および１５に対応する前記ＬＥＤ９８ｃおよび９８ｄにおいて消灯状態として報知される。
【０１０２】
また、上述した「状態１」において、前記第２種非電動役物１２の前記左誘導部材および右誘導部材に誘導されて遊技球が入賞した場合には、前記第２種非電動役物１３および前記第２種非電動役物１５が拡開状態にあり、前記第２種非電動役物１２および前記第２種非電動役物１４は閉鎖状態にある。
【０１０３】
ここで前記開閉状態検知手段９２において検知された前記第２種非電動役物１２ないし１５の開閉状態のデータに基づき、図１８に示される前記入賞判定テーブル９３３のテーブルＡの上から１１行目を参照して、遊技者にとって有利な入賞順序となる前記第２種非電動役物１５に対応する前記ＬＥＤ９８ｄにおいて光量の大きい点滅状態として報知されるとともに、遊技者にとって有利な入賞順序とならない前記第２種非電動役物１３に対応する前記ＬＥＤ９８ｂにおいて光量の小さい点滅状態として報知されるとともに、閉鎖状態である前記第２種非電動役物１２および１４に対応する前記ＬＥＤ９８ａおよび９８ｃにおいては消灯状態として報知される。
【０１０４】
次に、前記中ゲート３１に遊技球が進入したことをゲート進入検知スイッチ２８ｂによって検知した時には、前記開閉状態検知手段９２において検知された前記第２種非電動役物１２ないし１５の開閉状態のデータに基づき、図１９に示される前記入賞判定テーブル９３３のテーブルＢの上から２行目を参照して、図２０に示される遊技者にとって有利な入賞順序となる前記第２種非電動役物１２ないし１４を示唆する図柄Ｂを前記ドット表示部１０１において報知する。
【０１０５】
また、前記中ゲート３１に遊技球が進入したことをゲート進入検知スイッチ２８ｂによって検知した後に、前記第２種非電動役物１２の前記左誘導部材および右誘導部材に誘導されて遊技球が入賞した場合には、前記第２種非電動役物１３、前記第２種非電動役物１４および前記第２種非電動役物１５が拡開状態にあり、前記第２種非電動役物１２は閉鎖状態にある。
【０１０６】
ここで前記開閉状態検知手段９２において検知された前記第２種非電動役物１２ないし１５の開閉状態のデータに基づき、図１９に示される前記入賞判定テーブル９３３のテーブルＢの上から９行目を参照して、図２０に示される遊技者にとって有利な入賞順序となる前記第２種非電動役物１５を示唆する図柄Ｉを前記ドット表示部１０１において報知する。
【０１０７】
本第３実施例のパチンコ遊技機においては、上述したように前記第２種非電動役物１２ないし１５の前記左誘導部材および右誘導部材に誘導されて遊技球が入賞して前記入賞検知スイッチ２２ないし２５において該入賞が検知される毎に、上記した前記入賞判定テーブル９３３を参照して前記ＬＥＤ９８ａないし９８ｄまたはドット表示部１０１によって報知する光表示態様を選択する。また、前記左ゲート３０、中ゲート３１または右ゲート３２に遊技球が進入して前記ゲート進入検知スイッチ２８ａないし２８ｃにおいて該進入が検知される毎に、前記ＬＥＤ９８ａないし９８ｄまたはドット表示部１０１において行なわれる報知態様の種類を選択する。
【０１０８】
以下、上記構成および作用の本第３実施例のパチンコ遊技機の効果について説明する。
【０１０９】
上記作用を奏する第３実施例のパチンコ遊技機は、遊技球の入球しやすい拡開状態と、遊技球の入球しにくい閉鎖状態を備えた複数の入賞装置を有するパチンコ遊技機において、前記変換機構１が複数の進入穴からの遊技球の進入および入賞装置への入賞を検知して、前記入賞装置の拡開状態と閉鎖状態とを変換するとともに、前記開閉状態検知手段９２により前記第２種非電動役物１２ないし１５の開閉状態を検知して、前記開閉状態検知手段９２により検知された開閉状態に基づいて、前記ＬＥＤ９８ａないし９８ｄまたはドット表示部１０１により前記第２種非電動役物１２ないし１５への入賞において遊技者にとって有利な入賞となる少なくとも１つの前記第２種非電動役物１２ないし１５を光表示態様によって報知するので、遊技者が報知された光表示態様によって前記第２種非電動役物１２ないし１５への入賞において遊技者にとって有利な入賞となる少なくとも１つの前記第２種非電動役物１２ないし１５を知ることができるという効果を奏する。
【０１１０】
上記作用を奏する第３実施例のパチンコ遊技機は、前記ＬＥＤ９８ａないし９８ｄまたはドット表示部１０１が、前記開閉状態検知手段９２により検知された前記第２種非電動役物１２ないし１５の開閉状態に基づいて構成される入賞判定テーブル９３３に従って、前記第２種非電動役物１２ないし１５への入賞において遊技者にとって有利な入賞となる少なくとも１つの前記第２種非電動役物１２ないし１５を示唆する光表示態様によって報知するので、遊技者が報知された光表示態様によって前記第２種非電動役物１２ないし１５への入賞において遊技者にとって有利な入賞となる少なくとも１つの前記第２種非電動役物１２ないし１５を知ることができるという効果を奏する。
【０１１１】
また、上記作用を奏する第３実施例のパチンコ遊技機は、前記第２種非電動役物１２ないし１５への入賞において遊技者にとって有利な入賞となる少なくとも１つの前記第２種非電動役物１２ないし１５を示唆するので、遊技者にとって有利となる入賞順序の学習を可能にすることができるので、遊技者が遊技を行いながら興趣を持って遊技方法を習得することができるという効果を奏する。
【０１１２】
上記作用を奏する第３実施例のパチンコ遊技機は、光表示部としての前記ドット表示部１０１において遊技者にとって有利な入賞となる少なくとも１つの前記第２種非電動役物１２ないし１５を示唆する光表示態様を表示するので、遊技者が前記ドット表示部１０１に表示された光表示態様によって前記複数の前記第２種非電動役物１２ないし１５への入賞において遊技者にとって有利な入賞となる前記第２種非電動役物１２ないし１５を知ることができるという効果を奏する。
【０１１３】
上記作用を奏する第３実施例のパチンコ遊技機は、前記ＬＥＤ９８ａないし９８ｄが、前記第２種非電動役物１２ないし１５に対応した前記クリアプレート９９３Ａないし９９３Ｄを光表示部として遊技者にとって有利な入賞となる少なくとも１つの前記第２種非電動役物１２ないし１５を示唆する光表示態様を表示するので、遊技者が前記クリアプレート９９３Ａないし９９３Ｄに表示された光表示態様によって前記第２種非電動役物１２ないし１５への入賞において遊技者にとって有利な入賞となる少なくとも１つの前記第２種非電動役物１２ないし１５を知ることができるという効果を奏する。
【０１１４】
上記作用を奏する第３実施例のパチンコ遊技機は、前記報知態様設定手段が、前記複数の前記第２種非電動役物１２ないし１５への入賞において遊技者にとって有利な入賞となる少なくとも１つの前記第２種非電動役物１２ないし１５を示唆する光表示態様の種類を設定するので、前記報知態様設定手段の作動を契機として報知する光表示態様の種類を変更するため、遊技者に興趣のある遊技を提供することができるという効果を奏する。
【０１１５】
上記作用を奏する第３実施例のパチンコ遊技機は、前記左ゲート３０、中ゲート３１または右ゲート３２への遊技球の進入のタイミングに同期して前記報知態様設定手段が作動するので、前記報知手段において報知される光表示態様の種類を明確にすることができるという効果を奏する。
【０１１６】
上記作用を奏する第３実施例のパチンコ遊技機は、前記ドット表示部１０１において点灯図柄が異なる複数の光表示態様によって遊技者にとって有利な入賞となる少なくとも１つの前記第２種非電動役物１２ないし１５を示唆するので、遊技者が報知された光表示態様により興趣をもって遊技者にとって有利となる前記第２種非電動役物１２ないし１５への入賞順序を知ることができるという効果を奏する。
【０１１７】
上記作用を奏する第３実施例のパチンコ遊技機は、前記ＬＥＤ９８ａないし９８ｄにおいて点滅する光の光量が異なる複数の光表示態様によって遊技者にとって有利な入賞となる少なくとも１つの前記第２種非電動役物１２ないし１５を示唆するので、遊技者が報知された光表示態様により興趣をもって遊技者にとって有利となる前記第２種非電動役物１２ないし１５への入賞順序を知ることができるという効果を奏する。
【０１１８】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【０１１９】
前記第１実施例ないし第３実施例においては、前記報知手段９の一例として前記ＬＥＤ９８ａないし９８ｄまたはドット表示部１０１を前記遊技盤１００に配設した形態を採用したが、本発明はこれに限定されるものではなく、パチンコ遊技機の外枠などの遊技者が視認可能な位置においてＬＥＤ９８ａないし９８ｄまたはドット表示部１０１等を配設する構成を採ることも出来るとともに、可動部材にＬＥＤを備えることにより演出効果を高めた報知手段を採用することが出来るものであり、どのような位置、装置または形態によって報知する光表示態様を発生させるかについては、本発明の効果を実現するにあたり有効的に適宜選択できるものであり、上述したＬＥＤ９８ａないし９８ｄまたはドット表示部１０１によるものに限定されない。
【０１２０】
第１実施例ないし第３実施例のパチンコ遊技機において、前記クリアプレート９９Ａないし９９Ｄおよび９９３Ａないし９９３Ｄを図２に示される形状としたが、本発明はこれに限定されるものではなく、効果的な報知演出を実現するものであれば動物、植物、キャラクター、文字等の形状を適宜選択して用いることが出来る。
【０１２１】
前記第１実施例ないし第３実施例に記載したパチンコ遊技機においては、一例として前記ＬＥＤ９８ａないし９８ｄまたはドット表示部１０１によって実現される光情報を用いての報知形態を採用したが、本発明はこれに限定されるものではなくスピーカ等を用いた音情報による報知形態、ソレノイドまたはモータを用いた報知役物による報知形態、またはおよび電気的駆動力を用いずに該報知役物を作動させることにより実現される報知形態等を本発明の効果を実現するにあたり有効的に適宜組み合わせることが出来るものである。
【０１２２】
第１実施例および第２実施例においては、ＬＥＤ９８ａないし９８ｄを用いて遊技者にとって有利な入賞となる少なくとも１つの前記第２種非電動役物１２ないし１５を報知する構成としたが、本発明はこれに限定されることなく第３実施例において用いた前記ドット表示部１０１を用いて遊技者にとって有利な入賞となる少なくとも１つの前記第２種非電動役物１２ないし１５を報知する形態を採用することができる。
【０１２３】
前記第２実施例および第３実施例のパチンコ遊技機においては報知する光表示態様を選択する前記入賞判定テーブル９３および９３３を図１３および図１６に示されるようにメイン制御基板に備えた構成としたが、前記入賞判定テーブル９３および９３３をランプ制御基板に格納して、前記開閉状態検知手段９２等の検知出力に従いランプ制御基板においてメイン制御基板とは独立して報知する光表示態様を選択する構成とすることが出来る。
【０１２４】
前記第１実施例においては、一例として前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチを配設したが、本発明はこれに限定されるものではなく、前記第１種非電動役物１０および１１、前記第２種非電動役物１２ないし１５および前記入賞口１６および１７の何れの組み合わせに対して共通の入賞検知スイッチを備えるかは、本発明の効果を実現するにあたり有効的に適宜選択できるものである。
【０１２５】
前記第１実施例においては、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチを配設したが、本発明を第２実施例および第３実施例に適用することができる。
【０１２６】
前記第１実施例においては、前記ＬＥＤ９８ａないし９８ｄを選択的に点灯させることにより遊技者にとって有利な入賞となる少なくとも１つの前記第２種非電動役物１２ないし１５を示唆すべく報知する構成としたが、本発明はこれに限定されるものではなく、前記ＬＥＤ９８ａないし９８ｄを選択的に点滅させることにより遊技者にとって有利な入賞となる少なくとも１つの前記第２種非電動役物１２ないし１５を示唆すべく報知する形態を採用することが出来る。
【０１２７】
前記第３実施例においては、前記ドット表示部１０１によって遊技者にとって有利な入賞となる少なくとも１つの前記第２種非電動役物１２ないし１５を報知する構成としたが、本発明はこれに限定されるものでなく、７セグＬＥＤまたは液晶表示などによって報知する形態を採用することが出来る。
【０１２８】
前記第３実施例においては、前記ドット表示部１０１によって遊技者にとって有利な入賞となる少なくとも１つの前記第２種非電動役物１２ないし１５を報知する構成としたが、本発明はこれに限定されるものでなく、前記第２種非電動役物１２ないし１５に対して色を塗布した部材を配設するとともに、該前記第２種非電動役物１２ないし１５に対して塗布した色と対応する色を発光するＬＥＤを用いて、遊技者にとって有利な入賞となる少なくとも１つの前記第２種非電動役物１２ないし１５を報知する形態を採用することが出来る。
【０１２９】
前記第３実施例においては、前記ＬＥＤ９８ａないし９８ｄにおける点滅する光の光量の差異によって遊技者にとって有利な入賞となる少なくとも１つの前記第２種非電動役物１２ないし１５を報知する構成したが、本発明はこれに限定されるものでなく、点滅する光の点滅周期の差異によって遊技者にとって有利な入賞となる少なくとも１つの前記第２種非電動役物１２ないし１５を報知する形態を採用することが出来る。
【０１３０】
前記第３実施例においては前記左ゲート３０、中ゲート３１または右ゲート３２に遊技球が進入した時に選択される光表示態様の種類を一例として２種類備える構成としたが、本発明はこれに限定されるものでなく該光表示態様の種類を複数種類備え、該複数の光表示態様の種類を遊技状況に応じて選択的に用いるものであればよい。
【０１３１】
第３実施例においては、遊技球が前記左ゲート３０、中ゲート３１または右ゲート３２のいずれに進入するかに応じて光表示態様の種類を選択する構成としたが、本発明はこれに限定されるものではなく、前記入賞検知スイッチ２０ないし２７および２９のいずれかにおいて検知出力が出された時に光表示態様の種類を選択する形態を採用することができる。また、遊技者が操作可能な操作ボタンを本発明のパチンコ遊技機に配設して、該操作ボタンを操作することにより光表示態様の種類を選択する形態を採用することもできる。
【０１３２】
上述した第３実施例においては前記ＬＥＤ９８ａないし９８ｄは青色および赤色を発光するＬＥＤを夫々備えた構成としたが、本発明はこれに限定されるものではなく、青色および赤色以外の色を用いてもよいし色の種類は２種類に限られるものではない。また、異なった色を発光することによって報知する形態としては、青色および赤色等の色を付加した透光性の前記クリアプレート９９３Ａないし９９３Ｄに対して１種類のＬＥＤを発光させる形態を採用することができる。
【０１３３】
上述した第３実施例においては前記クリアプレート９９３Ａないし９９３Ｄは、前記ドット表示部１０１によって報知する点灯図柄と前記第２種非電動役物１２ないし１５を対応させた図柄が描かれた構成としたが、本発明はこれに限定されるものではなく、該クリアプレート９９３Ａないし９９３Ｄを該対応させた図柄を模った形に形成する形態を採用することができる。
【０１３４】
前記第１実施例ないし第３実施例に記載したパチンコ遊技機においては、入賞検知手段の検知出力に基づいて遊技者にとって有利な入賞となる次に入賞すべき少なくとも１つの入賞装置を示唆することにより報知する形態を採用したが、本発明はこれに限定されることなく、遊技球の入球しやすい拡開状態と、遊技球の入球しにくい閉鎖状態を備えた複数の入賞装置を有するとともに、遊技球が複数の進入穴へ進入した時および入賞装置へ入賞した時に、入賞装置の拡開状態と閉鎖状態とを変換する変換機構とを備え、遊技球の動きによって動く部材の動きにより作動するもしくは作動を停止するＬＥＤまたはドット表示等の光表示態様によって、遊技者にとって有利な入賞となる次に入賞すべき少なくとも１つの入賞装置を示唆することにより報知する形態を採用することが出来る。
【産業上の利用可能性】
【０１３５】
遊技球の入球しやすい拡開状態と、遊技球の入球しにくい閉鎖状態を備えた複数の入賞装置を有するパチンコ遊技機において、複数の進入穴からの遊技球の進入および入賞装置への入賞を検知して、入賞装置の拡開状態と閉鎖状態とを変換する変換機構と、入賞装置への入賞を検知して、入賞情報を出力する入賞検知手段と、複数の入賞装置のいずれか１つに入賞した場合においては、遊技者にとって有利な入賞となるように予め設定されている少なくとも１つの入賞装置を示唆する光表示態様によって報知する報知手段から成るように構成され、遊技者が報知された光表示態様により前記複数の入賞装置への入賞において遊技者にとって有利な入賞となる少なくとも１つの入賞装置を知ることができるという用途に適用できる。
【図面の簡単な説明】
【０１３６】
【図１】本発明の第１実施例ないし第３実施例パチンコ遊技機を示す正面図である。
【図２】本第１実施例ないし第３実施例のパチンコ遊技機の遊技盤面を示す正面図である。
【図３】本第１実施例のパチンコ遊技機の遊技盤裏面に配設された、遊技球導出路、変換機構および入賞検知スイッチを示す裏面図である。
【図４】本第１実施例ないし第３実施例のパチンコ遊技機の第１種非電動役物および変換機構を示す部分拡大正面図および部分拡大斜視図である。
【図５】本第１実施例ないし第３実施例のパチンコ遊技機の第１種非電動役物および変換機構を示す部分拡大側面図および部分拡大正面図である。
【図６】本第１実施例ないし第３実施例のパチンコ遊技機の第２種非電動役物および変換機構を示す部分拡大正面図および部分拡大斜視図である。
【図７】本第１実施例ないし第３実施例のパチンコ遊技機の第２種非電動役物および変換機構を示す部分拡大側面図および部分拡大正面図である。
【図８】本第１実施例ないし第３実施例のパチンコ遊技機の第２種非電動役物および変換機構の要部を示す部分拡大正面図である。
【図９】本第１実施例ないし第３実施例のパチンコ遊技機の第２種非電動役物および変換機構の要部を示す部分拡大上面図である。
【図１０】本第１実施例ないし第３実施例のパチンコ遊技機の第２種非電動役物、左ゲート、中ゲート、右ゲート、下ゲートおよび変換機構の要部を示す部分拡大正面図および部分拡大断面図である。
【図１１】本第１実施例のパチンコ遊技機における報知する光表示態様を選択して報知するための制御ブロック図である。
【図１２】本第１実施例のパチンコ遊技機において、入賞検知スイッチと報知される光表示態様の対応関係を示す説明図である。
【図１３】本第２実施例のパチンコ遊技機における報知する光表示態様を選択して報知するための制御ブロック図である。
【図１４】本第２実施例および第３実施例のパチンコ遊技機における、第２種非電動役物と開閉状態検知装置の位置関係を示す部分拡大側面図である。
【図１５】本第２実施例の入賞判定テーブルの詳細を示した説明図である。
【図１６】本第３実施例のパチンコ遊技機における報知する光表示態様を選択して報知するための制御ブロック図である。
【図１７】本第２実施例および第３実施例のパチンコ遊技機の遊技盤裏面に配設された、遊技球導出路、変換機構および入賞検知スイッチを示す裏面図である。
【図１８】本第３実施例の入賞判定テーブルＡの詳細を示した説明図である。
【図１９】本第３実施例の入賞判定テーブルＢの詳細を示した説明図である。
【図２０】本第３実施例の入賞判定テーブルＢにより選択され、ドット表示部において報知される光表示態様の詳細を示した説明図である。
【図２１】従来のパチンコ遊技機において、各動作状態と該各役物装置への入賞順序の適否に関係しない予め設定された順序およびタイミングにおいて飾りＬＥＤを点滅または点灯させる対応関係を示した説明図。
【符号の説明】
【０１３７】
１  変換機構
２  入賞検知手段
９  報知手段
１０ないし１１  第１種非電動役物
１２ないし１５  第２種非電動役物
１０Ｔないし１５Ｔ  変換機構
１６ないし１７  入賞口
２０ないし２７および２９  入賞検知スイッチ
２８ａｎないし２８ｄ  ゲート進入検知スイッチ
３０  左ゲート
３１  中ゲート
３２  右ゲート
３３  下ゲート
４０および５０  左誘導部材
４１および５１  右誘導部材
４２および５２  ロック部材
４３および５３  第１のガイド部材
４４および５４  支持部材
４５および５５  第２のガイド部材
５６  連絡棒
５７  第１の左アーム
５８  第２の左アーム
５９  突出部材
８０  メイン制御基板
８１  ＣＰＵ
８２  ＲＯＭ
８３  ＲＡＭ
８４  ランプ声制御基板
８５  払出制御基板
９２  開閉状態検知手段
９３  入賞判定テーブル
９４  判定手段
９８ａないし９８ｄ  ＬＥＤ
９９Ａないし９９Ｄ  クリアプレート
９９３Ａないし９９３Ｄ  クリアプレート
１００  遊技盤
１０１  ドット表示部
１１２ないし１１５  開閉状態検知装置
１２０  揺動部材
１２１  ローラ状部材
１２２  接点部材
ＣＬ  閉鎖落下点
ＯＰ  拡開落下点
【図１】
2010125080.tif 000003
【図２】
2010125080.tif 000004
【図３】
2010125080.tif 000005
【図４】
2010125080.tif 000006
【図５】
2010125080.tif 000007
【図６】
2010125080.tif 000008
【図７】
2010125080.tif 000009
【図８】
2010125080.tif 000010
【図９】
2010125080.tif 000011
【図１０】
2010125080.tif 000012
【図１１】
2010125080.tif 000013
【図１２】
2010125080.tif 000014
【図１３】
2010125080.tif 000015
【図１４】
2010125080.tif 000016
【図１５】
2010125080.tif 000017
【図１６】
2010125080.tif 000018
【図１７】
2010125080.tif 000019
【図１８】
2010125080.tif 000020
【図１９】
2010125080.tif 000021
【図２０】
2010125080.tif 000022
【図２１】
2010125080.tif 000023